(57)【特許請求の範囲】
【請求項１】
容器（２）内に収容される飲料原料から、前記容器に遠心力を作用させて水を前記飲料原料に通過させることによって飲料液体を生成するための装置（１）であって、
前記容器を前記容器の回転中心軸線（Ｉ）周りに駆動させるための遠心手段（８、９、１０）と、
水を前記容器内に供給するための手段（１１）と、
前記容器内に配置される濾過手段（４）と、
を備え、
前記容器から出る飲料のための制限流路を形成する可変断面の少なくとも１つの流出口を備え、
前記濾過手段がフィルタまたはスクリーンの円筒部を備え、
前記濾過手段と少なくとも１つの排出口との間に収集容積部が配置され
少なくとも１つの前記流出口の断面が、０．０５〜２５ｍｍ２の範囲内で遠心中に流路を形成するように変化し、
飲料流れのための少なくとも１つの前記流出口が、遠心中に増大する断面を有し、
遠心力の結果として開放するバルブが設けられ、
前記バルブが弾性荷重部材を備え、
前記バルブに作用する荷重であって、流路を開放し、又は該流出口の流れ断面積を拡大するために、遠心されて容器から抜け落ちる液体によって打ち勝たれる前記荷重を調整できることを特徴とする装置。
【請求項２】
少なくとも１つの前記飲料流出口が遠心力の結果として増大することを特徴とする請求項１に記載の装置。
【請求項３】
前記容器の外周に設けられる一連の飲料排出口を備えることを特徴とする請求項１〜２のいずれか一項に記載の装置。
【請求項４】
前記バルブが、飲料の３６０度遠心層を供給することができる環状隙間を形成することにより閉位置から開位置へと開放することを特徴とする請求項１に記載の装置。
【請求項５】
前記バネ荷重部材が、弾性プラスチック、ゴム弾性体、または、機械的なバネであることを特徴とする請求項４に記載の装置。
【請求項６】
駆動手段の回転速度を変えるための手段を備えることを特徴とする請求項１〜５のいずれか一項に記載の装置。
【請求項７】
請求項１に記載の装置を使用してコーヒーを生成するための方法であって、
飲料原料を容器内のフィルタに適用し、容器を回転させて、容器内に水を供給することにより、水を飲料原料に通過させて、飲料液体が前記フィルタから抽出される方法において、
前記フィルタの下流側では、飲料の流れが、断面を変えることができる排出口に通されることを特徴とする方法。
【発明の詳細な説明】
【技術分野】
【０００１】
本発明は、遠心の作用によってコーヒー飲料などの液体食品を生成するための装置に関する。また、本発明は、遠心力を使用してコーヒー飲料などの液体食品を生成するための方法に関する。
【背景技術】
【０００２】
浸出されたコーヒーとコーヒー粉末とから成る混合物が遠心力によって分離される飲料生成は知られている。このような混合物は、湯およびコーヒー粉末を所定時間にわたって一緒にすることにより得られる。その後、湯がスクリーンに通され、そのスクリーン上に粉末材料、例えば挽いたコーヒーが存在する。
【０００３】
米国特許第４５４５２９６号は、装置内に挿入されるフィルタカートリッジを使用する遠心式コーヒー浸出装置に関し、該装置は、該カートリッジを受けるための区画室を備えるとともに、第２の区画室、または、容器内での液体の滞留時間を制御するのに十分な背圧を与えるための制限オリフィスを有する。結果として、飲料原料と水との間の相互作用時間をかなり増大させることができるため、抽出を改善することができる。
【０００４】
国際公開第２００６／１１２６９１号は、開放可能な容器内に配置される円筒濾過スクリーンの下流側に小さい排出口が配置される、コーヒーを生成するための装置および方法に関する。しかしながら、飲料排出口のサイズが固定されている。
【０００５】
既存の従来技術の装置の抽出状態は適切に制御することができない。特に、所望の抽出特性（すなわち、固形成分含有量、歩留まり）を飲料に与えるための滞留時間および／または飲料の表面上に形成される泡の量を容易に制御できない。
【発明の概要】
【発明が解決しようとする課題】
【０００６】
本発明は、従来技術の欠点に対する解決策を提案することを目的とする。
【０００７】
本発明の目的は、抽出状態が良好に制御され、特に、飲料原料を伴う液体の滞留時間をかなり増大させることができ、最終的に、滞留時間を必要に応じて変えることができる、飲料を生成するための装置および方法を提案することである。特に、飲料原料を収容する容器内での水の滞留時間に応じて、飲料、例えばコーヒーの味をかなり変えることができる。
【０００８】
本発明の他の目的は、飲料の表面上のクレマまたは泡を改善することができ、最終的に、消費者の要望および／または分配される飲料のタイプにしたがってクレマまたは泡の量を制御できる、飲料を生成するための装置および方法を提案することである。
【課題を解決するための手段】
【０００９】
このため、本発明は、容器に遠心力を作用させて水を物質に通過させることによって容器内に収容される食品物質から食品液体を生成するための装置であって、
容器をその回転中心軸線周りに駆動させるための遠心手段と、
水を容器内に供給するための手段と、
容器内に配置される濾過手段と、
を備え、
容器から出る飲料のための制限流路を形成する可変断面の少なくとも１つの流出口が設けられる装置に関する。
【００１０】
本発明の一形態では、少なくとも１つの流出口が開放可能な流量制限バルブを備える。
【００１１】
本発明の１つの想定し得る形態では、遠心中に流路を形成するために、少なくとも１つの飲料流出口の断面が変化し、例えば、バルブが開放される。
【００１２】
より特別な実施形態では、飲料流れのための少なくとも１つの流出口が、遠心中に増大する断面を有する。
【００１３】
異なる有利な実施形態では、流出口断面が遠心前に変えられる。特に、流出口は、容器内に配置される原料の固有の特性に合わせて調整するように変えることができる。特に、流出口断面は、コーヒー原料の平均粒径および／または質量に合わせて調整するように変えられる。例えば、流出口断面を遠心前に増大させて、小さい平均粒径および／または大きいコーヒー質量に起因する流速の遅さを補償することができる。
【００１４】
特定の形態では、遠心力の結果として開放する、すなわち、遠心される液体の十分な圧力が作用するときに開放するバルブが設けられる。
【００１５】
結果として、飲料流出口で液体の遅れた解放をうまく引き起こすことができ、それにより、容器内の圧力を増大させることができ、したがって、容器内での飲料原料と水との間の滞留時間を増大させることができる。抽出特性を大きく改善することができ、それにより、高いコーヒー濃度および歩留まりを伴うコーヒー飲料の製造がもたらされる。
【００１６】
バルブは能動または受動であってもよい。
【００１７】
遠心力を受ける液体の遠心の圧力にしたがって自動調整できる受動バルブは、装置の不必要な複雑さを避けるために好ましい場合がある。
【００１８】
したがって、バルブの受動形態では、例えば、十分な遠心力をバルブに加える遠心された液体が、バルブに作用する所定の荷重に打ち勝つときにバルブが開放するまで、飲料の流れを妨げるバルブにより、少なくとも１つの飲料流出口が遠心力の結果として増大する。
【００１９】
そのため、従来技術の装置とは異なり、流出口の断面のサイズを、動的態様で、すなわち、液体の遠心に応じて変えることができる。結果として、飲料の解放に対して遅れ効果をもたらすことができ、それにより、より高い飲料濃度、および、歩留まりがもたらされるとともに、より良好な泡またはコーヒークレマが形成される。
【００２０】
流速は、回転速度を変えることにより設定されるのが好ましい。特に、回転速度が高ければ高いほど、流出口の断面が大きくなり、あるいは、バルブの流路開口が大きくなる。したがって、容器に高い回転速度を設定することにより、液体抽出物の供給時間を短くすることができる。その点において、回転速度を制御するための手段が本発明の装置に設けられるのが好ましい。速度制御手段は、装置の制御ユニットに記憶される適切なプログラムを備えることができ、および／または、ユーザによって作動でき、異なる回転速度を与える速度制御ボタンを備えることができる。
【００２１】
異なる実施形態によれば、流路は、容器がバルブによって遠心力を受けないときに閉じることができるとともに、遠心力の結果として開放することができる。前述したように、遠心される液体の解放は、バルブが開放するまで遅らされる。そのため、飲料原料と水との間の相互作用を大きく向上させることができる。
【００２２】
遠心圧力がバルブに及ぼされないとき、または十分な遠心圧力がバルブに及ぼされないときにバルブを部分的に開放し、それにより、小さい流出口を形成することができ、また、液体によりバルブに対して及ぼされる遠心圧力の結果としてバルブの開口を更に広げ、それにより、大きな流出口を形成することができる。例えば、流速の遅い液体は遠心プロセスの開始時に望ましく、また、流速は、容器内の圧力が増大するときの遠心中に増大できる。
【００２３】
別の形態では、バルブを能動的にすることができる。すなわち、遠心中にバルブを作動手段によって動作させて流路を開放し、または飲料流出口を広げることができるという意味で、バルブを能動的にできる。特に、遠心中、例えば特定量の水が容器内の飲料原料と相互作用した後の流路の開放時におよび／または流出口の断面の拡大時にバルブを動作させるように構成される制御ユニットに対してバルブを関連付けることができる。例えば、バルブは、遠心される液体によってバルブで圧力の特定の閾値が得られたときおよび／または遠心駆動手段が所定の遠心速度を達成したときに開放するように動作される。結果として、それに応じて飲料の解放も遅らされ、これにより、容器内での飲料原料と水との間の相互作用が促進する。
【００２４】
想定し得る形態では、その幅を変えることができる層流環状流出口などの１つの単一の流出口を設けることができる。
【００２５】
あるいは、回転容器の外周に幾つかの飲料排出口を設けることができる。これらの排出口は、容器を取り囲む外周衝突面に衝突する遠心液の幾つかのジェットを形成するために容器の外周に沿って、例えば容器の上縁部に分布することができる。排出口は、ショートコーヒー、すなわち、リステロットコーヒー、エスプレッソコーヒー、または、ルンゴコーヒーに関してはかなり小さいままの個々の断面を有することができる。例えば、各排出口は、２．０ｍｍ２未満、好ましくは１．０ｍｍ２未満の最大断面を有する。各排出口は、アメリカーノコーヒーなどのフィルタタイプのコーヒーの場合の方がエスプレッソまたはリステロットなどのショートタイプのコーヒーの場合よりも大きい断面を有することができる。この場合、各排出口の最大断面は、最高で約５．０ｍｍ２にすべきである。
【００２６】
他の想定し得る形態において、バルブは、飲料の３６０度遠心層を供給することができる環状隙間を形成することにより閉位置から開位置へと開放する。特に、バルブによって形成される偏向隙間は、遠心前に閉じることができるとともに、液体の遠心力がバルブ手段で増大するにつれて開放する。偏向隙間（すなわち、その環状高さ）は、２．０ｍｍ未満、より好ましくは１．０ｍｍ未満、最も好ましくは０．５ｍｍ未満にすることができる。このような寸法を用いると、液体は、装置の衝突面へ向けて高速の非常に薄い層として突出される。これにより、多量のコーヒークレマが形成される。無論、泡を必要としない飲料に関して、または、泡のない軽い浸出コーヒーの場合など、水との相互作用時間が短い急速解放に関しては、偏向隙間を最大にすることができる。例えば、隙間を２−５ｍｍの大きさにすることができる。
【００２７】
一般的な態様では、飲料流出口の全断面をほぼ０．０１ｍｍ２〜２５ｍｍ２の範囲内で、より好ましくは０．０５〜１０ｍｍ２の範囲内で変えることができる。断面が小さければ小さいほど、容器内での液体の滞留時間が長くなり、それにより、液体と食品原料、例えば挽いたコーヒーとの間の相互作用が長くなる。また、小さい断面は、液体の高圧解放および高速の遠心ジェットももたらし、それにより、一般的には、より滑らかなクレマが促進される。コーヒー飲料の場合、コーヒーの濃度およびクレマ特性をより良く制御できる。
【００２８】
バルブの好ましい形態では、バネ荷重部材（spring-loading member）が設けられる。バネ荷重部材は、例えば、弾性プラスチック、ゴム弾性体、または、機械的なバネであってもよい。バネ荷重部材は、バルブのゲートに対して閉塞的に作用して所定の荷重を与える。この所定の荷重は、流路を開放し、または該流出口の流れ断面を拡大するために、遠心されて容器から抜け出る液体によって打ち勝たれなければならない。荷重を装置のタイプまたは生成される飲料のタイプにしたがって異なる値に較正することができ、および／または、荷重を調整することができる。このため、荷重調整可能な手段を設けてバルブの荷重を変えることができる。この荷重調整手段は、例えばスクリュータイプ機構または液圧あるいは電気的な機構などによって得られる機械的な手段であってもよく、または、これらの手段の任意の可能な組み合わせであってもよい。
【００２９】
本発明の好ましい形態では、濾過手段が回転容器内に配置されるフィルタの一部を備える。フィルタの一部は、容器を、飲料原料が配置される上流側容積部と、液体が流出口へと解放される前に遠心された液体を収集するための下流側容積部とに分離する。想定し得る形態では、フィルタを流出口に隣接して配置することもでき、また、収集容積部を省くこともできる。
【００３０】
フィルタは、織布、不織布、金属メッシュ、多孔質プラスチック壁、濾紙、および、これらの組み合わせを備えるスクリーンの一部であることが好ましい。スクリーンは、柔軟な多孔質材料が貼り付けられる硬質フレームを備えることができる。例えば、硬質フレームがプラスチックであり、柔軟な多孔質材料が金属メッシュである。
【００３１】
例えば、スクリーンは、管状円筒体、管状錐体、球の中空部、中空ピラミッド、および、これらの組み合わせなどの異なる外周形状を有することができる。
【００３２】
好ましい実施形態では、フィルタが円筒状の管形状を有しており、それにより、濾過円筒体の内側で軸線方向に移動するディスク状のスクレーパを用いてフィルタの表面を擦ることによって使用される原料を除去することができる。
【００３３】
フィルタは、水の流れ方向でフィルタの下流側に円錐状に広がる外周壁を備える容器内に配置することができる。
【００３４】
一般に、フィルタは、フィルタと流出口との間に収集容積部を残すように側壁から距離を隔てて容器内に配置される。そのため、濾過機能は、清浄作業を行なうための流量制限機能から分離される。これは、流出口が、清浄に維持されて、容器内に収容される固体粒子によって汚染されないからである。
【００３５】
本発明の装置は、容器を開放するための手段と、使用される原料を容器から除去するためのスクレーパとを更に備えることができる。スクレーパは、容器内に配置される移動可能なディスク形状要素であってもよい。したがって、スクレーパは、フィルタの内面を擦るように容器の回転中心軸線に沿って軸線方向に移動し、それにより、飲料浸出後に使用粉末を除去する。容器は、洗浄できる都合の良い態様で乾燥した原料の除去を可能にするための開放底壁を備えることができる。結果として、簡単な態様で装置を連続的に清浄に維持することができ、手動メンテナンスをかなり減らすことができる。
【００３６】
装置は、容器の上側に配置される水導入パイプを更に備えることができる。水導入パイプは、回転中心に沿って配置することができ、あるいは、この軸線に対してオフセットすることができる。また、装置は、原料注入口、例えば挽いたコーヒーの注入口を容器の上側に更に備える。注入口は、原料のためのシュートおよびスクリューコンベアと連通する。特に、挽かれた原料、例えば挽いたコーヒーをコンベアに供給するために、粉挽き装置を本装置に関連付けることができる。
【００３７】
想定し得る別の手段において、容器は、フィルタポッド／カートリッジなどのポーションパッケージを受けるように形成することができる。利点は、飲料の投入が更に容易であり、装置が厄介な洗浄を何ら必要としないという点である。
【００３８】
浸出後、使用されたポッド／カートリッジが容器から簡単に除去されて、新たなポッド／カートリッジが容器内に挿入される。
【００３９】
フィルタポッド／カートリッジには、ポッド／カートリッジからくる液体を濾過して固体をポッド／カートリッジ内に保持するためのフィルタ部を、好ましくは外周に設けることができる。
【００４０】
フィルタポッド／カートリッジは、好ましくは円筒形状を有することができる。
【００４１】
フィルタポッド／カートリッジは、好ましくはトーラス形状を有することができる。
【００４２】
フィルタポッド／カートリッジの筐体は、濾紙、プラスチック、アルミニウム、および、これらの組み合わせから形成することができる。筐体は、所定用量のコーヒーまたは他の飲料原料を収容することができる。
【００４３】
また、本発明は、飲料原料を容器内のフィルタに適用することによって飲料を生成するための方法であって、容器を回転させて、容器内に水を供給することにより、水を飲料原料に通過させて、飲料液体が該フィルタを通じて抽出される方法において、該フィルタの下流側では、飲料の流れが、断面を変えることができる排出口に通されることを特徴とする方法に関する。
【００４４】
本発明の方法は、異なる回転速度間で容器の回転速度を設定する工程を更に備える。
【００４５】
ここで、以下、様々な限定的でない実施形態を参照して、本発明を更に詳しく説明する。
【図面の簡単な説明】
【００４６】
【図１】第１の実施形態に係る本発明の装置の断面図を示している。
【図２】第１の変形例に係る本発明の装置の断面図を示している。
【図３】図２の実施形態の詳細図を示している。
【図４】可変飲料流出口が小さい開放形態を成す第１の変形例の容器の概略図である。
【図５】飲料流出口の大きい開放形態を成す図４の容器の概略図である。
【図６】可変飲料流出口が小さい開放形態を成す第２の変形例の容器の概略図である。
【図７】飲料流出口の大きい開放形態を成す図６の容器の概略図である。
【図８】可変飲料流出口が小さい開放形態を成す第３の変形例の容器の概略図である。
【図９】飲料流出口の大きい開放形態を成す図８の容器の概略図である。
【図１０】可変飲料流出口が小さい開放形態を成す第４の変形例の容器の概略図である。
【図１１】飲料流出口の大きい開放形態を成す図１０の容器の概略図である。
【図１２】可変飲料流出口が小さい開放形態を成す第５の変形例の容器の概略図である。
【図１３】飲料流出口の大きい開放形態を成す図１２の容器の概略図である。
【図１４】可変飲料流出口が小さい開放形態を成す第６の変形例の容器の概略図である。
【図１５】飲料流出口の大きい開放形態を成す図１４の容器の概略図である。
【発明を実施するための形態】
【００４７】
図１の装置１を参照すると、挽いたコーヒーなどの飲料原料と、原料および水から抽出される液体を濾過するためのフィルタ４とを受けるための容積部３を備える容器２が設けられる。フィルタは、原料を収容する上流側容積部を、収集チャンバを形成する下流側容積部５から分離するために容器２内に固定される円筒体であってもよい。容器は、該容器のドラム７と共に回転する蓋６によって部分的に閉じることができる。
【００４８】
容器の回転は遠心駆動手段によって得られる。特に、駆動手段は、モータ８と、回転カップリング９と、ベアリング要素１０とを備える。
【００４９】
蓋６の中心領域には、給湯源（図示せず）に接続可能な注水器１１が配置される。水を水リザーバおよびヒータ（例えば、サーモブロック）から注水器１１へと供給できる。
【００５０】
蓋は、原料を容器内すなわち内容積部３に供給するための１つ以上の入口１２を更に備える。入口１２は、シュート１３と連通するとともに、更にその上側で、粉末原料をシュートに供給するためのスクリュー型コンベア１４と連通する。本発明の装置では、好ましい原料が焙煎して挽いたコーヒーを含む場合であっても、様々な粉末原料を使用できる。
【００５１】
図１の装置は、バルブを開放させる液体の遠心力に応じて環状流路を形成するためのバルブ機構１５を更に備える。このため、蓋６は、押圧部１６により、容器のカップまたはドラム７の上縁部１７へ向けて延びる。押圧部は、バネ付勢手段１８によって得られる一定の荷重を受けて閉塞力を縁部に及ぼす。
【００５２】
バネ付勢手段１８は様々な形態をとることができる。図示のものでは、手段１８が管状体１９によって形成されるカートリッジを備えており、管状体１９内には、圧縮状態でソケット２１に対して作用するバネ２０が挿入される。したがって、ソケットが荷重を蓋６に伝える。
【００５３】
バルブ手段のバネ付勢手段を調整して荷重を変えることができる。バネが圧縮されればされるほど、押圧部に作用する荷重が高くなる。したがって、バルブを開くための液体の力は更に高くなければならない。調整可能な値の圧縮荷重を第２のソケット２４などを介してバネ２０に及ぼす荷重調整手段２３を管状体１９に捩じ込まれるネジ頭２２から形成することができる。
【００５４】
蓋と容器のカップとの間の出口界面２７に設けられる排出口から短い距離を隔てて衝突面２６を備える液体収集アセンブリ２５が容器の周囲に設けられる。収集アセンブリは、収集された液体を下側に配置されるカップまたはグラスへと案内するためのダクト２８を有する。
【００５５】
第２の実施形態が図２およびず３に示されている。先の実施形態と比べた１つの相違点は、バルブ１５０がゴム弾性荷重部材（rubber elastic loading member）２９を有するという点である。より具体的には、バルブ手段１５０は、容器の上縁部１７と共に閉塞作用を成す押圧挿入体３０を備える蓋６を備える。挿入体は、縁部の内面に液体の圧力が及ぼされないとき、または及ぼされる液体の圧力が不十分なときに縁部をシールする環状尖端縁３１を備えてもよい。液体の圧力が特定の閾値を超えると、挿入体３０が液体から力を受けてゴム弾性リング２９を圧縮し、それにより、縁部３１、３２間に流れ隙間３２が形成される。圧力の閾値が調整されることにより、容器内で滞留時間が十分となって、液体と原料、例えばコーヒーとの間の相互作用が可能となり、および／または、飲料の表面上で良好なクレマを得ることができる。圧力の閾値を下げて相互作用を減らすことができおよび／または泡の量を減らすことができる。生成飲料に応じて変速手段が異なる速度を与えるのが好ましい。変速手段は、回転駆動手段、例えば容器を回転駆動する回転モータの速度を制御するコントローラ４０であってもよい（図１）。それ自体が知られるように、回転速度は、容器内の圧力、したがって、液体の滞留時間にも影響を与える。そのため、滞留時間は、飲料流れの断面および回転速度の両方を調整することによって制御されるのが好ましい。結果として、飲料の品質（濃度、香りなど）を変えることができる。
【００５６】
容器の内側に配置されるフィルタ４は、遠心される液体だけが隙間３２を通過できるようにし、一方、コーヒー固形物は容器の上流側容積部３内に保持される。このため、フィルタの開口または孔は、少なくともコーヒー粒子の平均直径未満、例えば５００ミクロン未満、より好ましくは３００ミクロン未満、最も好ましくは２００ミクロン未満に寸法付けられるのが好ましい。フィルタの開口表面積は、飲料流れ隙間に形成される圧力損失よりも小さい、または該圧力損失にほぼ等しい圧力損失を与えるようになっている。
【００５７】
図２および図３の装置は、洗浄および使用される原料の除去を容易にする開放可能な容器も有する。特に、装置は擦り取り装置３４を備える。擦り取り装置は、容器の回転中心軸線Ｉに対して軸線方向に移動できるディスク形状のスクレーパ３５（例えば、末端ブラシを備える）を有する。スクレーパは、フィルタ４の内面を擦るように下方へ移動して、フィルタスクリーンに付着された使用原料を除去することができる。スクレーパは、中心シャフト３７を介して容器の底部３６と一体を成すことができる。したがって、スクレーパが下方へ移動すると、同時に底部が容器を開放し、それにより、使用された原料を容器から除去できる。容器の内面からコーヒー粒子を除去するために送風機（図示せず）を更に関連付けることができる。シャフトは、水を略径方向の流路に沿って容器内に方向付けることができるようにする注入開口または導管３８を更に備えていてもよい。シャフトは、水が注入器から注入開口または導管へと適切に案内されるように排水口３９をシールするべく形成することができる。容器の底部には、容器の円錐状に広がる側壁４１に対してシールするためにシール手段４２を設けることができる。
【００５８】
前述した実施形態の想定し得る変形例として、バルブを、容器の上縁部に沿って分布される可変断面の一連の排出口と置き換えることができる。容器の押圧表面１６、１７が開口構造または隔膜を備えれば十分である。排出口は、バルブの押圧部に対して圧力を及ぼす遠心された液体の作用によってサイズを変えることができる。最初は、排出口を非常に小さくすることができ、また、液体の圧力がバルブの内側で増大するときに排出口の断面が次第に増大し得る。また、排出口の変化は、機械的な動作によって、例えばピストン、カム、または、任意の適した等価な装置によって行なうこともでき、その動作は制御ユニット４０によって制御される（図１）。
【００５９】
無論、バルブをカップの上縁部１７によって形成することができる。例えば、上縁部１７は、蓋の上縁が固定されているのに対して、撓んで隙間を形成するのに十分な弾性を有することもできる。また、上縁部３０および下縁部１７の両方を飲料流れ隙間を形成するように変形可能に形成することもできる。
【００６０】
ここで、異なる想定し得る技術手段によって装置の流出口の断面を変えることができるようにする異なる変形例を考慮して、本発明について説明する。当業者であれば分かるように、多くの他の技術的な変形が容易に想起できる。
【００６１】
図４および図５の変形例では、重なり領域６０で蓋６によって閉じられる容器２が設けられる。この領域には、それぞれの重なり部分によって、すなわち、容器または蓋によって部分的に覆われ得る一連の排出口６１が蓋または容器のいずれかに設けられる。容器および蓋を軸線方向Ｉに沿って互いに調整することができ、それにより、蓋および容器が軸線方向反対側に互いに相対的に移動するにつれて排出口の断面を次第に（または、段階的に）増大させることができる。無論、２つの要素のうちの一方の要素を移動させることができる一方で、他方の要素が固定され、あるいは、２つの要素が移動できる。図５の形態では、排出口の断面が更に大きく、そのため、流れに対する抵抗がかなり減少される。前述したように、断面の変化は、蓋および容器の相対的な位置の調整機構、例えばカム、レバー、または、スクリューなど（図示せず）によって与えることができる。
【００６２】
ず６および図７の変形例では、飲料排出口の断面が、容器２に対する蓋６の角度の位置決めによって変えられる。特に、蓋は、容器に設けられる一連の排出口６２と回転可能に位置合わせする一連の排出口６１を備えることができる。この場合、排出口６２は、図６の位置合わせされていない位置では蓋の下縁部によって閉じられるとともに、図７の位置合わせされた位置では開放される。したがって、図６の離間位置では、排出口６１だけが流れに対して制限的な通路を与え、一方、図７の位置合わせされた位置では、両方の排出口６１、６２が流れに対して更に大きい通路を形成する。
【００６３】
図８の変形例では、飲料排出口６３の断面が、蓋の突出部６５と容器の突出部６６との相対的な係合／離脱によって変えられる。図８の形態では、蓋の突出部６５が容器の突出部６６に対して位置がずれており、それにより、突出部間に小さい排出隙間６３が残される。図９の形態では、突出部６５、６６が径方向に位置合わせされ、それにより、大きい排出隙間６４が形成される。位置の変化は、蓋と容器との相対的な角度変位によって行なうことができる。
【００６４】
図１０、１１の変形例は、一方の要素、すなわち、蓋６の突出部６５を第２の要素、例えば、容器２の溝６７に選択的に係合させることができる点を除き、先の変形例に類似する。図１０では、突出部６５および溝６７の位置がずれ、それにより、突出部６５が容器の上縁部に係合し、そのため、大きい排出隙間６８が維持される。溝は、突出部を部分的に受けるように寸法付けられており、それにより、図１１の位置では小さい隙間６９が残される。
【００６５】
図１２および図１３の変形例では、小さい排出隙間７０から大きい排出隙間までの通路がカム手段によって与えられる。例えば、蓋および容器には、それらの相対的な角度位置に応じて異なる隙間幅を残すような態様でそれぞれ係合するカムセグメント７２、７３が形成される。
【００６６】
最後に、図１４および図１５の変形例では、蓋と容器との間に配置される弾性要素７６を異なる度合いまで圧縮することによって流れ隙間７４、７５の断面を変えることができる。図１４の位置では、弾性要素が圧縮されず、または部分的に圧縮され、それにより、大きい隙間７４が残される。図１５の位置では、蓋および容器が互いに接近し、弾性要素が更に圧縮され、したがって、小さい隙間７５が形成される。圧縮は、ピストンまたはカム機構、もしくは任意の適した作動手段によって行なうことができる。
【図１】
0005529760.tif 000002
【図２】
0005529760.tif 000003
【図３】
0005529760.tif 000004
【図４】
0005529760.tif 000005
【図５】
0005529760.tif 000006
【図６】
0005529760.tif 000007
【図７】
0005529760.tif 000008
【図８】
0005529760.tif 000009
【図９】
0005529760.tif 000010
【図１０】
0005529760.tif 000011
【図１１】
0005529760.tif 000012
【図１２】
0005529760.tif 000013
【図１３】
0005529760.tif 000014
【図１４】
0005529760.tif 000015
【図１５】
0005529760.tif 000016